Podtech/llm-jp-corpus-v4-ja_patent huggingface dataset:
(57)【要約】      （修正有）【課題】少ない添加量で、従来の生地改良剤以上の加水を可能とする製パン用生地改良剤を提供すること。【解決手段】粘度が100〜300,000mP・s、好ましくは100,000〜250,000mPa・sである超高粘度タイプのヒドロキシプロピルメチルセルロース(HPMC)を製パン用生地改良剤として用いる。該改良剤は増粘多糖類（ペクチン、グァーガム）、酵素（α−アミラーゼ、ヘミセルラーゼ）、L・アスコルビン酸をさらに含有する。パン用品質改良剤をパン生地に０．１〜２．０質量％添加し、次いで該生地に通常より増量した水を添加することを特徴とする。【選択図】なし【特許請求の範囲】
【請求項１】
ヒドロキシプロピルメチルセルロースを含有するパン用品質改良剤。
【請求項２】
ヒドロキシプロピルメチルセルロースの粘度が100〜300,000mP・sである、請求項1に記載のパン用品質改良剤。
【請求項３】
増粘多糖類、酵素、L・アスコルビン酸をさらに含有する請求項1または２に記載のパン用品質改良剤。
【請求項４】
増粘多糖類が、ペクチン、グァーガムである請求項３に記載のパン用品質改良剤。
【請求項５】
酵素がα−アミラーゼ、ヘミセルラーゼである、請求項３または４に記載のパン用品質改良剤。
【請求項６】
請求項１ないし５のいずれかに記載されるパン用品質改良剤をパン生地に添加し、次いで該生地に通常より増量した水を添加することを特徴とするパンの製造方法。
【請求項７】
パン生地に対しパン用品質改良剤を０．１〜２．０質量％添加する請求項６記載のパンの製造方法。
【発明の詳細な説明】
【技術分野】
【０００１】
本発明は、パン用の品質改良剤に関する。詳しくは、これまでにない高加水と作業的性に優れた新規なパン用品質改良剤に関する。
【背景技術】
【０００２】
昨今の小麦粉の価格高騰により、各パンメーカーでも値上げ等の対応が迫られている。
【０００３】
その対応の一つとして、加水量を増やすことによる収量の増加がある。つまり、加水を増やすことで、分割量をより多く取ることが出来るため、同じ小麦粉の量でもより多くのパンが作ることが可能となる。若しくは、少ない小麦粉の量でも、これまでと同量のパンができる。
【０００４】
しかしながら、加水量を増やすと、生地がべたつきやすくなり、作業性を著しく落としてしまうといった課題がある。
【０００５】
従来、パン用の品質改良剤として、イーストフードや乳化剤、増粘多糖類、酵素、グルテン等を単独、または適宜組み合わせて添加する方法が採られてきた。これらの効果として、ソフト感やボリューム増大、歩留まり向上や加水量の増加、老化の抑制といった品質改良効果が得られている。
【０００６】
このうち、パンの加水量を増加する素材としては、ペクチンやガラクトマンナン、キサンタンガムといった増粘多糖類が挙げられるが、これらは多様な目的でパン用品質改良剤に使われている素材であり（特許文献１）、加水による収量の増加も数％が限度で、これ以上加水すると生地がべたついてしまうという問題が生じた。
【０００７】
そのため、これら増粘多糖類以上の加水量が見込め、さらには簡便に高加水を実現できる方法が求められている。
【先行技術文献】
【特許文献】
【０００８】
【特許文献１】特開2005-261221号公報
【発明の概要】
【発明が解決しようとする課題】
【０００９】
これらの問題を解決するために、様々の食品添加剤について試験を行った結果、超高粘度タイプのヒドロキシプロピルメチルセルロース（HPMC）を使用することで、これらの問題を解決することが出来るのではないかと考えた。
【００１０】
HPMCは、海外ではグルテンフリーのパンに対して、グルテンの代替として使用されているが、加水量の増加機能については知られていない。
【００１１】
HPMCは、加熱するとゲル化するという特徴を持ち、加熱時の気泡構造の維持と安定化に寄与することが期待できる。
【００１２】
本発明者らは、これらの機能を備えた超高粘度タイプのHPMCをパン生地に用いることにより、高加水にしても作業適性の低下が無く、しっかりとした内相・クラム構造をもつパンの製造が可能となることを見出し、本発明の完成に至った。
【課題を解決するための手段】
【００１３】
本発明は、パン生地にHPMCを添加し、増量した水を添加して製パンし、容量が増加したパンを製造するものである。
パン生地に対するHPMCの添加量は、０．１〜２．０質量％であり、好ましくは０．２〜１．０質量％、より好ましくは０．３〜０．５質量％である。０．１質量未満では効果が得られず、２．０質量％を超えて添加すると、作業性及び食感が悪化してしまう。
【００１４】
本発明は、以下のような態様からなる。
（１）HPMCを含有するパン用品質改良剤。
（２）HPMCの粘度が100〜300,000mP・s、好ましくは100,000〜250,000mPa・sである（１）のパン用品質改良剤。
（３）増粘多糖類、酵素、L−アスコルビン酸をさらに含む（１）または（２）のパン用品質改良剤。
（４）増粘多糖類が、ペクチン、グァーガムである（３）のパン用品質改良剤。
（５）酵素がα−アミラーゼ、ヘミセルラーゼである、（３）または（４）の品質改良剤。
（６）（１）〜（５）のいずれかのパン用品質改良剤をパン生地に添加し、ついで通常より増量した水を加えることを特徴とするパンの製造方法。
（７）パン用改良剤をパン生地に対し０．１〜２．０質量％添加する（６）のパン製造方法。
【発明の効果】
【００１５】
本発明のパン用品質改良剤を使用してパンを製造すれば、加水を多くしても安定してパン生地を取り扱うことが可能で、増量したパンを容易に製造することができる。
【発明を実施するための形態】
【実施例】
【００１６】
下記表に示される配合割合からなるパン生地に、
（１）HPMC製剤
（２）既存のパン改良用品質剤（ペクチン＋グァーガム＋キシラナーゼ＋α−アミラーゼ＋L‐アスコルビン酸）（「ユニガムBP」ユニテックフーズ社製）
（３）メチルセルロース（ダウ・ケミカル社製）
（４）カードラン（キリン協和フーズ社製）
を添加し、実施例については通常より６〜７質量％、比較例については通常より０〜４質量％多い水を加え、２００℃で２０分焼成と、通常と同様の以下の工程にて作成した。
［工程］
・ミキシング
・発酵  常温90分（70分でパンチ）
・分割  210g  ワンローフ
・成型
・ホイロ  温度38℃湿度80％  50min
【００１７】
【表１】
2013215158.tif 000002
【００１８】
比較例１は、良好な食感、口溶けがあった。
比較例２・３は、ボリュームが出ず、口溶け悪く、口の中で団子になり易かった。
実施例1・２は、共に加水量が多いためしっとりとした食感となっていた。ボリュームに関しても、比較例1と同等で、しっかりとしたボリュームが出ており、内相も非常に整ったものとなっていた。また、比較例と比べ、少量でも収量を増加させることができた。
(57)【要約】【課題】乾燥工程を経ていない生ローヤルゼリーを摂取することが可能で有り、しかも長期間常温で保存可能な生ローヤルゼリー飲料を提供する。【解決手段】生ローヤルゼリーに飲用アルコールを加えて飲用可能な液状にした生ローヤルゼリー飲料を提供する。この生ローヤルゼリー飲料を常温で約７ヶ月間保管しても、生ローヤルゼリーの主要成分たるデセン酸の含有量は生ローヤルゼリー自体と殆ど変わらない。また、７ヶ月経過後も腐敗はもちろん味の変化もなく、飲用可能である。したがって、本発明の生ローヤルゼリー飲料によれば、特別な保存設備を要することなく手軽に乾燥工程を経ていない生ローヤルゼリーを長期間摂取し続けることができるため、一般家庭において、長期間継続的に生ローヤルゼリーを摂取することが可能になる。【選択図】        なし【特許請求の範囲】
【請求項１】
生ローヤルゼリーに飲用アルコールを加えて飲用可能な液状にしたことを特徴とする生ローヤルゼリー飲料。
【請求項２】
前記飲用アルコールは、８％〜８０％濃度であることを特徴とする請求項１記載の生ローヤルゼリー飲料。
【請求項３】
前記飲用アルコールは、１５％〜２５％濃度であることを特徴とする請求項２記載の生ローヤルゼリー飲料。
【請求項４】
甘味料を加えたことを特徴とする請求項１〜３のいずれか１項に記載の生ローヤルゼリー飲料。
【発明の詳細な説明】
【技術分野】
【０００１】
本発明は、生ローヤルゼリーを摂取するための生ローヤルゼリー飲料に関する。
【背景技術】
【０００２】
生ローヤルゼリーは、働き蜂の唾液腺が変化した哺育線から分泌される淡黄色の粘性物質であり、古くから健康や美容に良いものであると言われている（例えば、特許文献１参照）。
一方、生ローヤルゼリーは、デリケートな物質で保存性が悪く常温での保存が難しいため、凍結乾燥等の加工を施した状態で摂取するのが一般的である。
【先行技術文献】
【特許文献】
【０００３】
【特許文献１】特開２０００−２８７６３３号公報（段落０００３，段落０００５）
【発明の概要】
【発明が解決しようとする課題】
【０００４】
生ローヤルゼリーは、栄養価において理想的であるが、上記のように凍結乾燥等により乾燥させて加工すると、乾燥コストが高くつくことに加えて、乾燥工程を経ることによる品質の劣化や、賦形剤を添加することによる品質の低下が生じ得る。
したがって、乾燥工程を経ていない生ローヤルゼリーが摂取でき、しかも常温保存可能な商品が切望されていた。
【０００５】
本発明は、上記に鑑みなされたもので、その目的は、乾燥工程を経ていない生ローヤルゼリーを摂取することが可能で有り、しかも長期間常温で保存可能な生ローヤルゼリー飲料を提供することにある。
【課題を解決するための手段】
【０００６】
上記の目的を達成するため本発明は、生ローヤルゼリーに飲用アルコールを加えて飲用可能な液状にした生ローヤルゼリー飲料を提供する。
【０００７】
また、請求項２に記載したように、前記飲用アルコールは、８％〜８０％濃度である請求項１記載の生ローヤルゼリー飲料を提供する。
【０００８】
また、請求項３に記載したように、前記飲用アルコールは、１５％〜２５％濃度である請求項２記載の生ローヤルゼリー飲料を提供する。
【０００９】
また、請求項４に記載したように、甘味料を加えた請求項１〜３のいずれか１項に記載の生ローヤルゼリー飲料を提供する。
【発明の効果】
【００１０】
本発明の生ローヤルゼリー飲料を常温で約７ヶ月間保管し、保管後の同飲料に含まれる１０−ハイドロキシ−δ−２−デセン酸の含有量を分析したところ、製造時に分析した生ローヤルゼリーに含まれるデセン酸含有量と殆ど変わらないことが確認された。
また、本発明の生ローヤルゼリー飲料は、７ヶ月経過後も腐敗はもちろん味の変化もなく、飲用可能であることも確認された。
したがって、本発明の生ローヤルゼリー飲料によれば、特別な保存設備を要することなく手軽に乾燥工程を経ていない生ローヤルゼリーを長期間摂取し続けることができるため、一般家庭において、長期間継続的に生ローヤルゼリーを摂取することが可能になる。
【００１１】
また、飲用アルコールは、８％〜８０％濃度にするのがよい。アルコール濃度がこの範囲であれば、飲用可能で且つ十分な腐敗防止効果を発揮する。
また、飲用アルコールは、好ましくは１５％〜２５％濃度にするのがよい。そうすることにより生ローヤルゼリーの１日の摂取量とアルコール分の１日の摂取量のバランスがよい。
【００１２】
また、さらに生ローヤルゼリー飲料に甘味料を加えることで生ローヤルゼリー特有のえぐ味を抑えて飲みやすくすることができる。
【発明を実施するための形態】
【００１３】
本発明の生ローヤルゼリー飲料は、生ローヤルゼリーに飲用アルコールを加えて飲用可能な液状にしたものである。
【００１４】
生ローヤルゼリーは、働き蜂の唾液腺が変化した哺育線から分泌される淡黄色の粘性物質であり、採取後に冷凍保存し、解凍したものである。
飲用アルコールは、リキュール類（蒸留酒に果実やハーブなどを加えて香り付けし、砂糖やシロップ等を添加して調製した混成酒）やワイン等の果実酒を使用する。
【００１５】
具体的な生ローヤルゼリー飲料は、例えば生ローヤルゼリーが１４重量％、蜂蜜が２４重量％、液糖が１０重量％、飲用アルコール（例えば１５％〜２５％濃度のリキュール類）が５２重量％配合されており、これらを混ぜて撹拌することにより製造可能である。この生ローヤルゼリー飲料は、生ローヤルゼリーが全体に分散することで濁った液状であり、７ヶ月常温で保管しても生ローヤルゼリーの主要成分たる１０−ハイドロキシ−δ−２−デセン酸の含有量は、製造時の生ローヤルゼリーのデセン酸量（１００ｇ中２.０２ｇ）と殆ど変わらない。なお、製造時の生ローヤルゼリーのデセン酸含有量と、７ヶ月保管後の生ローヤルゼリー飲料のデセン酸含有量の分析は、財団法人日本食品分析センターで行った。
【００１６】
以上の生ローヤルゼリー飲料をほぼ２５ｍｌずつ毎日摂取することにより適度な生ローヤルゼリーと適度なアルコール分を摂取することができる。もちろんその間、常温で保管しても生ローヤルゼリーの品質は保たれる。
【００１７】
以上、本発明を実施の形態について説明したが、もちろん本発明は上記実施形態に限定されるものではない。例えば、実施形態では飲用アルコールとしてリキュール類を使用したが、ワイン（果実を原料として発酵させたもの）等を使用してもよい。また、飲用アルコールは１種に限定されず、複数種を混合して使用してもよい。
また、生ローヤルゼリー飲料の前記配合割合も、例えば飲用アルコールのアルコール濃度を８％〜８０％の間で選択し、そのアルコール濃度に応じて適宜変更可能である。
(57)【要約】【課題】  椎茸栽培の榾木培養工程において、従来通りの、コンテナを隙間なくパレットへと配置する方法では、コンテナ同士に密着する部分が生じ、これにより、空気や照明光が届かない箇所が培養室内に生じた。高温環境や暗所は、榾木に打ち込んだ菌の培養を阻害し、高品質で均一な榾木の製造を阻害する一因であった。このコンテナ同士の密着を解消することによって、菌の培養を阻害する高温環境や暗所の発生を防ぎ、均一で高品質な榾木の製造を可能にし、ひいては、均一で高品質な椎茸の製造を提供する。【解決手段】  コンテナをパレットへと配置する際に、コンテナ同士に間隔を空けて配置する。【選択図】図１
2013215174.tif 000002
【特許請求の範囲】
【請求項１】
椎茸栽培の培養工程において、コンテナをパレット内に配置する際に、間隔を空けて配置することを特徴とする配置方法。
【発明の詳細な説明】
【技術分野】
【０００１】
本発明は、椎茸栽培の榾木培養工程におけるパレットへのコンテナの配置方法に関する。
【背景技術】
【０００２】
従来の椎茸栽培の榾木培養工程におけるパレットへのコンテナ１の配置方法は図２に示すように配置されていた。また、一般的に、コンテナのような四角い籠状の物を並べて配置する場合、図３のように密着させて並べて配置するのが普通である。
【先行技術文献】
【特許文献】
【０００３】
【特許文献１】特開平６―３１９３７１
【発明の概要】
【発明が解決しようとする課題】
【０００４】
しかしながら、上記の図２と図３のパレットへのコンテナの配置方法では、コンテナ同士密着する箇所がある。これにより、培養室内部に空気の循環のない場所と照明光のあたらない場所が生じる。
空気の循環がないとパレット内の榾木から発生する熱がこもり、榾木に打ち込んだ菌の培養を阻害する高温の環境が発生しやすかった。
また、照明光は菌の培養に必要なものであり、照明光の不足も菌の培養を阻害する。
これらの影響で菌の培養が不十分になり、榾木の品質が落ち、結果的に、榾木から発生する椎茸の品質も落ちることがあった。
そこで、この発明はコンテナ同士の密着の解消を提供することを課題とする。
【課題を解決するための手段】
【０００５】
以上の課題を解決する為に、本発明はパレットへコンテナを配置する際、コンテナ間に間隔を空けて配置することで上記課題を解決する。
【発明の効果】
【０００６】
本発明は、榾木に打ち込んだ菌の培養を阻害する高温や暗所の発生を防ぐだけではなく、培養に最適な温度と照明光を全体の榾木に与えることができる。
これにより、菌の伸直を促進し、高品質の榾木を製造することができ、結果的に、質の良い椎茸を生産することができる。
【図面の簡単な説明】
【０００７】
【図１】この発明の斜視図である。
【図２】従来の配置方法の斜視図である。
【図３】一般的なコンテナの配置方法の斜視図である。
【発明を実施するための形態】
【０００８】
本発明は、パレットへコンテナを配置する際に生じる密着を可能な限り解消するという目的を実現した。
【実施例】
【０００９】
図１が示すように、コンテナ１同士１０ｃｍ〜２０ｃｍの隙間ができるように間隔２を空けて配置する。
【符号の説明】
【００１０】
１  コンテナ  ２  間隔
【図１】
2013215174.tif 000003
【図２】
2013215174.tif 000004
【図３】
2013215174.tif 000005
(57)【要約】【課題】廃坑道を利用して放射能汚染物や有害性廃棄物を埋蔵及び保管する手段であるため、坑道口は勿論、坑道内は密閉状態で埋蔵及び保管し、特に、坑道口は完全閉塞とする廃棄物処理法。【解決手段】放射能汚染物や有害性廃棄物を焼却し、この焼却灰を早強セメントと混合し、泥状態にして高圧の噴射機器でもって坑道内に圧送し埋蔵する。次に焼却ができない汚染物や有害性廃棄物は、密閉可能な容器又は袋物に詰め、坑道内に搬入し、坑道内の隙間は、粘土鉱物の固形物や液状物及びモルタルを用いて密閉状態で保管及び埋蔵し、坑道口は完全閉塞する廃棄物処理法。【選択図】図１、図２
2013215710.tif 000002
【特許請求の範囲】
【請求項１】
廃坑道を利用する廃棄物処理法であるため、坑道内の整備は不可欠で、埋蔵及び保管の状況と手段に応じて、早強セメント、金網、モルタル、粘土鉱物の固形物や液状物を坑道内の側壁や通路の整備のための資材として、用いる廃棄物処理法。
【請求項２】
放射能廃棄物や有害性廃棄物を焼却し、この焼却灰を凝固させるために、早強セメントと焼却灰を混合して、泥状態時に高圧の噴射機器でもって坑道内に圧送し、埋蔵する廃棄物処理法。
【請求項３】
放射能汚染物の汚染量及び汚染物や有害性廃棄物に応じて、焼却ができない汚染物及び有害性廃棄物は密閉状可能な容器又は袋物に詰め、坑道に搬入、充填状態になった坑道内の間隙は粘土鉱物の固形物や液状物を用いて密閉状態で保管し、坑道口は粘土鉱物の固形物と液状物及びモルタルを適宜に用いて、完全閉塞する廃棄物処理法。
【発明の詳細な説明】
【技術分野】
【０００１】廃坑道を利用して、放射能汚染物や有害性廃棄物の処理とする密閉手段による埋蔵及び保管。
【背景技術】
【０００２】坑道内の整備は金網とモルタルの吹き付けでの補強と、坑道内は粘土鉱物や鉱石であるため崩壊の不安はないので、廃棄物処理場として利用できる。【０００３】放射能汚染物の保管については、放射能を地上に濾出させない手段として、保管を目的とする密閉可能な容器と坑道内の密閉と坑道口の完全閉塞をもって対応する。
【発明の開示】
【発明を解決しようとする課題】
【０００４】放射能を地上や地下水に濾出しないための埋蔵及び保管の手段と廃坑道の利用に対する埋蔵及び保管の手段が課題である。
【課題を解決するための手段】
【０００５】廃坑道口は、放射能汚染物や有害性廃棄物を坑道内に埋蔵及び保管した後は完全閉塞するため、粘土鉱物の固形物や液状物及びモルタルを用いて完全閉塞する。
【０００６】放射能汚染物や有害性廃棄物の保管手段としては、密閉可能な容器を用いて、廃棄物を詰め、詰めた容器を坑道内に搬入保管し、保管状況で隙間ができるため、隙間には粘土鉱物の固形物や液状物で密閉することで、放射能の地上や地下への濾出は防げる手段である。
【０００７】放射能汚染物や有害性廃棄物を焼却し、この焼却灰と早強セメントを混合し、泥状態で高圧の噴射機器でもって坑道内に圧送し埋蔵する手段である。
【発明の効果】
【０００８】廃坑道の利用による効果は、穴掘りや構造物の費用が低コストで済む。
【０００９】廃坑道の物質構成から、坑道内は粘土鉱物と鉱石であるため、崩壊の不安は無く、密閉及び完全閉塞とする保管埋蔵には適している。
【００１０】坑道のため、穴掘り工事は不要で、短期間の改修整備で埋蔵及び保管庫として利用できる。
【図面の簡単な説明】
【００１１】
【図１】坑道内の断面図
【図２】坑道内の断面図及び噴射機器設置図
【発明を実施するための最良の形態】
【００１２】坑道内（ａ）の側壁面（イ）が破損していないことが保管することの絶対条件である。【００１３】坑道内の側壁面（イ）の補強整備は、必要に応じて金網（ロ）を取り付け、この上にモルタル（ハ）吹き付けにて補強する。【００１４】放射能汚染物の保管及び埋蔵に関しては、密閉可能な容器（チ）に詰めた状態で保管する場合と焼却灰（ニ）として埋蔵する処理法がある。【００１５】容器を用いて放射能汚染物（ｂ）及び有害性廃棄物（ｃ）保管及び埋蔵する場は、坑道内（ａ）に隙間ができるので、隙間に粘土鉱物の固形物（ホ）又は液状物（ヘ）を用いて密閉する。【００１６】放射能汚染物や有害性廃棄物を焼却し、この焼却灰（ニ）と凝固を目的とする早強セメント（ト）を混合し、この混合時に高圧の噴射機器（ｄ）を用いて坑道内に圧送し埋蔵する。【００１７】保管及び埋蔵処理後に、完全閉塞するために坑道口（ｅ）を粘土鉱物の固形物（ホ）又は液状物（ヘ）及びモルタル（ハ）を用いて密閉する。
【符号の説明】
【００１８】（ａ）坑道内
（ｂ）放射能汚染物
（ｃ）有害性廃棄物
（ｄ）噴射機器
（ｅ）坑道口
（イ）側壁面
（ロ）金網
（ハ）モルタル
（ニ）焼却灰
（ホ）粘土鉱物の固形物
（ヘ）粘土鉱物の液状物
（ト）早強セメント
（チ）容器
【図１】
2013215710.tif 000003
【図２】
2013215710.tif 000004
(57)【要約】【課題】碁盤・碁石をコンパクトに、携帯・収納しやすいものにする。また、収納時に、対局途中の状態を保持したままの状態で収納できる碁盤を提供する。【解決手段】碁盤の表裏両面に碁石の収めるくぼみを施した、（９×１０）路盤４枚ならびに天元用ピース１個で１９路盤１面を構成する。収納の際は、４枚の（９×１０）路盤を重ねることにより、それぞれの（９×１０）路盤に碁石を配したままの収納が可能である。【選択図】図３
2013215539.tif 000002
【特許請求の範囲】
【請求項１】
表裏両面に碁石を設置するためのくぼみをもつ（９×１０）路盤４枚と天元用ピース１個とにより構成する携帯用碁盤。
【発明の詳細な説明】
【技術分野】
【０００１】本発明は、碁盤をコンパクトにし、碁盤・碁石の持ち運び・収納を容易にするための技術に関するものである。
【背景技術】
【０００２】従来、碁盤をコンパクトに持ち運び・収納するための技術としては、碁盤を２分割し、各々を蝶番で連結する「折り盤」が一般的であった。
【発明の開示】
【発明が解決しようとする課題】
【０００３】従来の折り盤においては、碁盤のコンパクト化は図ることができたが、碁石の容積分の省スペースを図ることはできなかった。本発明は、折り盤よりも更にコンパクトであり、碁笥（碁石の容器）分の容積をも省略できる碁盤を提供するものである。
【課題を解決するための手段】
【０００４】碁盤上の罫線の交点の位置を中心とする円形のくぼみを全交点に配置する。碁盤は、９列×１０列の碁盤（以下「（９×１０）路盤」という）とし、（９×１０）路盤４枚と天元用ピース１個により１セットを構成する。これらを組み合わせることにより、１９路盤を構成する。（９×１０）路盤の裏面の同位置にも表面と同じように円形のくぼみを設置する。
【発明の効果】
【０００５】４枚の（９×１０）路盤を重ね合わせることにより、表面のくぼみと裏面のくぼみがつくる空間に碁石が収まる。これにより、碁笥（碁石の容器）分の容積が収納の際に省略できる。これは対局途中の状態を保持したままでの収納が可能であることをも意味し、対局を中断しての収納後、再開する時には碁石を並べ直すことが不要であるため便利である。【０００６】また、オプションとして、（９×１０）路盤を更に２分割した（９×５）路盤を２枚付加することにより、収納の際に重ね合わせた４枚の（９×１０）路盤全体の蓋として、また対局者が揚げ石を置く碁笥蓋として、更には５路盤としての使用も可能である。【０００７】なお、本発明の碁盤においては、くぼみにより碁石の設置場所が決まるため、罫線を省略することも可能である。
【図面の簡単な説明】
【０００８】
【図１】本発明の携帯用５分割碁盤のうち、（９×１０）路盤の１枚と天元用ピース１個の上面図である。
【図２】（９×１０）路盤および天元用ピースの断面図である。
【図３】本発明の５分割碁盤で１９路盤を形成する際の上面図である。
【図４】オプションである（９×５）路盤の上面図である。
【図１】
2013215539.tif 000003
【図２】
2013215539.tif 000004
【図３】
2013215539.tif 000005
【図４】
2013215539.tif 000006
(57)【要約】【課題】ヨーグルトの水分切りを容易に行なえるようにした、ヨーグルトの水分切り容器を提供する。【解決手段】ヨーグルトから出た水分を溜める容器（１）の中に、ヨーグルトの水分を切るための着脱可能な目の細かいザル（２）を設け、容器（１）の上に蓋（３）を設けたことを特徴とする。【選択図】図１
2013215540.tif 000002
【特許請求の範囲】
【請求項１】
ヨーグルトから出た水分を溜める容器（１）の中に、ヨーグルトの水分を切るための着脱可能な目の細かいザル（２）を設け、容器（１）の上に蓋（３）を設けたことを特徴とするヨーグルトの水分切り容器。
【発明の詳細な説明】
【技術分野】
【０００１】この発明は、ヨーグルトの水分切りを容易に行えるようにした、ヨーグルトの水分切り容器に関するものである。
【背景技術】
【０００２】従来、ヨーグルトの水分を切るための専用容器はなかった。
ヨーグルトの水分を切る時にはザルとボウルとキッチンペーパーを使用していた（非特許文献１参照）。
【先行技術文献】
【非特許文献】
【０００３】
【非特許文献１】ウラジーミル・バベンコ著「自分と子どもを放射能から守るには」世界文化社  ｐ６６
【発明の概要】
【発明が解決しようとする課題】
【０００４】これは、次のような欠点があった。
従来ヨーグルトの水分を切る時は、ボウルにザルを乗せ、ザルの上にキッチンペーパーを乗せ、その中にヨーグルトを入れ、ラップで蓋をして一晩冷蔵庫に保管するものであった。この方法だと、重ねたボウルとザルが冷蔵庫の中で場所をとり邪魔であった。
また、毎回キッチンペーパーやラップを使い捨てにしなくてはならなかった。
本発明は、以上のような欠点をなくすためになされたものである。
【課題を解決するための手段】
【０００５】ヨーグルトから出た水分を溜める容器（１）の中に、ヨーグルトの水分を切るための着脱可能な目の細かいザル（２）を設け、容器（１）の上に蓋（３）を設ける。
本発明は、以上の構成よりなるヨーグルトの水分切り容器である。
【発明の効果】
【０００６】ヨーグルトの水分を切る時に、大きさの合わないボウルとザルを重ねて使わなくてよいので、冷蔵庫で保管する時に必要以上の場所をとらなくなる。
目の細かいザルを使うことによってキッチンペーパーを使う必要がなくなる。
蓋付きなので、ラップが必要なくなるのでゴミが減り、節約になる。
【図面の簡単な説明】
【０００７】
【図１】  本発明の正面図である。
【図２】  本発明の分解斜視図である。
【発明を実施するための形態】
【０００８】以下、本発明を実施するための形態について説明する。
ヨーグルトから出た水分を溜める容器（１）の中に、ヨーグルトの水分を切るための目の細かいザル（２）を設ける。ザル（２）は着脱可能である。ザル（２）の落下防止のために容器（１）とザル（２）のそれぞれに縁を設け、ザル（２）が容器（１）の底に付かないように支える。ヨーグルトから出た水分を溜めるために、ザル（２）の底と容器（１）の底との間に間隔を設ける。容器（１）はザル（２）をしたままで蓋（３）が閉まるものである。
本発明は、以上のような構造である。
本発明を使用する時は、上部のザルにヨーグルトを入れ、蓋をして冷蔵庫で保管すれば、必要以上に場所をとらず、ゴミを出さずにヨーグルトの水分を切ることができるものである。
他の実施例を説明する。
ザルに取手を付けて、窪みを設けた容器の縁にザルをかけ、その上から蓋をする方法でもよい。
【符号の説明】
【０００９】１  容器
２  ザル
３  蓋
【図１】
2013215540.tif 000003
【図２】
2013215540.tif 000004
(57)【要約】【課題】たすきがけが困難な場合でも、それを要さず洗浄可能とする、壁取付式背中洗い器を提供する。【解決手段】浴室の壁に吸盤（３）などを利用した取付式の土台（１）と、これを包み込むように装着する、袋状の洗浄ユニット（２）で構成する壁取付式背中洗い器を特徴とする。【効果】背中を洗う事が容易になり、せまい浴室空間でも省スペースで洗浄可能である。【選択図】図２
2013215532.tif 000002
【特許請求の範囲】
【請求項１】
浴室の壁に吸盤（３）などを利用した取付式の土台（１）と、これを包み込むように装着する、袋状の洗浄ユニット（２）で構成する壁取付式背中洗い器。
【発明の詳細な説明】
【技術分野】
【０００１】本発明は、上体をひねったり、上下・左右にこすりつける事で、たすきがけを要さず背中を洗う事を可能にする、壁取付式背中洗い器に関するものである。
【背景技術】
【０００２】従来、背中を洗うときはタオルなどでたすきがけしていた。
【発明の概要】
【発明が解決しようとする課題】
【０００３】これは、次のような課題があった。
１．高齢による体力低下、身体的ハンディキャップ、怪我などの理由から、たすきがけが困難なために、背中を自分自身で洗えない場合があった。
２．背中特有の形状や目の行き届かない部位を洗う行為は、従来のたすきがけでは満足のいく洗い上がり感を得る事ができない場合があった。
３．ユニットバスなど、浴室空間がせまくたすきがけがしにくい場合があった。
本発明は、以上のような課題をなくすためになされたものである。
【課題を解決するための手段】
【０００４】本発明は、浴室の壁に吸盤（３）などを利用した取付式の土台（１）と、これを包み込むように装着する、袋状の洗浄ユニット（２）で構成する壁取付式背中洗い器である。
【発明の効果】
【０００５】本発明には次のような効果がある。
１．背中を本器具に押しつけ、自然な動きでこすりつける事で洗浄可能で、たすきがけをする事が困難な場合でも、容易に背中を洗う事ができる。
２．背中を押し付ける強弱や箇所を自分自身でコントロールできるので、部位による洗い残しをなくし、たすきがけで得られなかった洗い上がり感を得る事ができる。
３．せまい浴室窒間でも省スペースで背中を洗う事ができる。
４．背中だけでなく、任意の部位も洗浄可能である。
【発明を実施するための形態】
【０００６】以下、本発明を実施するための最良の形態について説明する。
１．吸盤（３）などを利用して壁に取り付ける土台（１）は、上体を押しつけるとそれに合わせて変形する適度な弾力性と抗菌・防カビ性を有し、これを包み込むように、ゴムなどで開口部および全体が伸縮する袋状の洗浄ユニット（２）を装着する。洗浄ユニットは土台（１）に密着する形となる。
２．これを使用するときは、洗浄ユニット（２）に石けんなど好みの洗浄剤を塗布し、背中を押し付けて、上下・左右、ひねりなどの動きでこすり洗う。
３．使用後は洗浄ユニット（２）を取り外し、単体で洗浄可能である。
４．土台（１）は容易に壁から取り外す事ができ、身長による高さ調節や、座りながらの使用にも対応する。使用しない時は取り外して別の場所に収納しておく事ができる。
５．洗浄ユニット（２）は、ブラシ状のものや、ナイロンタオル地のものなどを用意し、好みによって、または衛生上使用者によって付け替える事ができる。
６．せまい浴室空間でも容易に洗浄可能である。
本発明は以上のような構造である。
【図面の簡単な説明】
【０００７】
【図１】この発明の斜視図を示す。
【図２】この発明の断面図を示す。
【図３】この発明の洗浄ユニット全体図を示す。
【符号の説明】
【０００８】１  土台
２  洗浄ユニット
３  吸盤
【図１】
2013215532.tif 000003
【図２】
2013215532.tif 000004
【図３】
2013215532.tif 000005
(57)【要約】      （修正有）【課題】長時間および長期間にライトバン等の比較的車高の低い車の運転を行っていても、股関節が開いてくるのを防止する股関節矯正具を提供する。【解決手段】ブロック体１には平面部３と突起部２を設け、平面部３を椅子と太ももの間に差しこみ突起部２により股関節が開くのを防止する事を特徴とした股関節矯正具。【選択図】図１
2013215534.tif 000002
【特許請求の範囲】
【請求項１】
ブロック体の先端に平面部を設け、平面部から後端に向けて徐々に傾斜した突起部を設けた、股関節矯正具。
【発明の詳細な説明】
【技術分野】
【０００１】  本発明は、長時間および長期間にライトバン等の比較的車高の低い車の運転を行っていると、アクセル側の足が開いた状態で運転を行うため、股関節が開いてくるのを防止するための股関節矯正具。
【背景技術】
【０００２】  従来、矯正具と言うとベルトを使う方法や特殊な椅子を使うことによって股関節などを矯正していた。
【先行技術文献】
【特許文献】
【０００３】
【特許文献１】特開２００７−２１５９７０号公報
【特許文献２】特開２００２−０００３９２号公報
【発明の概要】
【発明が解決しようとする課題】
【０００４】  長時間および長期間、例えばライトバン等の比較的車高の低い車の運転を行っていると、アクセル側の足が開いた状態で長時間運転を行うため股関節が開いてしまう。そのため股関節が開くと内臓下垂、下肢のだるさ、むくみ、冷え性の症状が起こりやすくなります。つまり、ソケイ部の血管やリンパが圧迫されて、足先への流れが悪くなってしまう症状が起こりやすくなります。
体力を保つため散歩やジョギング等を行う時に、ひざの痛み、腰、筋肉等の痛みにより運動が続けられなくなる等の症状が発生するため、股関節の矯正が必要に迫られていた。
又、長時間の車の運転だけではなく、椅子の生活習慣が多くなった昨今では、少なからず股関節の開きが生じてしまう傾向にあった。
【課題を解決するための手段】
【０００５】  本発明は、上記の問題を解決するために椅子と下半身の間に突起部を設けたブロック体を挿し込み、ブロック体の突起部により股関節が開かないように固定し、股関節の開きを防止する。
以上が特徴の股関節矯正具である。
【発明の効果】
【０００６】  本発明は、従来の矯正具に比べてベルトを使って体を固定するなどの手間や、特殊な椅子や器具などを使用せずに、場所を選ばず手軽に使えることが出来る。
本ブロック体はコンパクトに出来ているので、持ち運びに便利で簡単に股関節の矯正が出来、股関節が開くことによって生じる、体の不具合が解消できる器具を提供できる。
【図面の簡単な説明】
【０００７】
【図１】本考案の斜視図
【図２】本考案の使用状態図
【発明を実施するための形態】
【０００８】  本発明は断熱性の高い樹脂又は木、ゴムでできた長方形のブロック体（１）に股関節が開かないように防止するために、先端に平面部（３）を設け、その平面部（３）から徐々に後端に向かって傾斜した三角形状の突起部（２）を設けた構造に成っている。
本発明は以上の構造である。
本発明を使用するときは、図２で示されたようにブロック体（１）を手で持ち、座っている椅子（５）と太もも（４）の間に、ブロック体（１）先端部の平面部（３）を差しこみ、突起部（２）が太もも（４）の側面に当たるまで突起部（２）を挿入し、太もも（４）をブロック体（１）で固定する。このことによってブロック体（１）にて股関節が開くのを防止出来、長時間運転していても股関節の開きや骨盤が開くことを防止することが出来る。
【符号の説明】
【０００９】  １  ブロック体
２  突起部
３  平面部
４  太もも
５  椅子
【図１】
2013215534.tif 000003
【図２】
2013215534.tif 000004
(57)【要約】      （修正有）【課題】買い物バッグの内側に、内ポケットの上部を取り付け、内ポケットの底部をボタン、マジックテープ、フック等係合部材で、バッグの内側、上方に、ハンモック状態にして留めることができ、内ポケットに傷む収納物を入れたとき、ほぼ水平に保持でき、傷まないようにした買い物バッグ。【解決手段】バッグの中に新たな内ポケットを設け、内ポケットの底をボタン、マジックテープ、フック等でバッグの内側、上方に、ハンモック状態にして留め、傷む収納物をほぼ水平に保持し傷まないようにした。【選択図】図３
2013215533.tif 000002
【特許請求の範囲】
【請求項１】
買い物バッグの内側に、内ポケットの上部を取り付け、内ポケットの底部をボタン、マジックテープ、フック等係合部材で、反対側のバッグの内側上方に、ハンモック状態にして留めることができ、内ポケットに傷む収納物を入れたとき、ほぼ水平に保持でき、傷まないようにした買い物バッグ
【請求項２】
以下の寸法の請求項１に記載の買い物バッグ
（１）全体の寸法
縦４５０ｍｍ〜７７０ｍｍ  横３６０ｍｍ〜６６０ｍｍ  幅９０ｍｍ〜３３０ｍｍ
（２）持ち手部分の寸法
縦９０ｍｍ〜３３０ｍｍ  横９０ｍｍ〜３３０ｍｍ
（３）収納部分の寸法
縦２７０ｍｍ〜５５０ｍｍ  横３６０ｍｍ〜６６０ｍｍ  幅９０ｍｍ〜３３０ｍｍ
（４）内ポケット部分の寸法
縦９０ｍｍ〜３３０ｍｍ  横１８０ｍｍ〜５５０ｍｍ
（５）内ポケットの位置  バッグの内側に、バッグの持ち手部分より下方の３０〜７０ｍｍの位置にポケットの上方（取付端部）を取り付ける
【請求項３】
以下の寸法の請求項１に記載の買い物バッグ
（１）全体の寸法
縦５００ｍｍ〜７００ｍｍ  横４００ｍｍ〜６００ｍｍ  幅１００ｍｍ〜３００ｍｍ
（２）持ち手部分の寸法
縦１００ｍｍ〜３００ｍｍ  横１００ｍｍ〜３００ｍｍ
（３）収納部分の寸法
縦３００ｍｍ〜５００ｍｍ  横４００ｍｍ〜６００ｍｍ  幅１００ｍｍ〜３００ｍｍ
（４）内ポケット部分の寸法
縦１００ｍｍ〜３００ｍｍ  横２００ｍｍ〜５５０ｍｍ
（５）内ポケットの取付位置  バッグの内側に、バッグの持ち手部分より下方の３０〜７０ｍｍの位置にポケットの上方（取付端部）を取り付ける
【発明の詳細な説明】
【従来の課題】
【０００１】１  従来のお買い物バッグ（レジ袋不要のエコバッグ等）は、バナナ、いちご、桃などの傷つきやすい果物や、寿司パック、卵パックなど薄手のプラスチックケースに入っている食品など、通常の買い物と一緒にバッグに入れると持ち帰るときに、他の品物と混在し、ぶつかったりこすられたりして傷む（以下、これらを「傷む収納物」という）。
また、傷む収納物は、バッグの底に移動したり、他の物がその上に乗るなどして傷むとともに、傷ついて果汁が出たり、そのプラスチックケースが傾いて汁がこぼれるなどしてバッグ内を汚していた。
スーパーなどから持ち帰るときに、一般人、特に女性の視点から問題があった。
２  そのため、お買い物バッグとは、別のバッグに傷む収納物を入れるなどしていたが、一般人、特に女性はハンドバッグ等、持つ手さげ荷物が多く不便であった。
３  バッグの中に内ポケットを設けて、傷む収納物を入れればよいが、単にそれだけでは、傷む収納物の傾きを防ぐことはできない。
バッグの底の他の品物とぶつかる程度は減るものの、なくならない。
４  また図５参考図のようなバッグは、単に一枚の布でハンモック状態にしているだけで、傷む収納物の安定性が悪い。ハンモックの左右からこぼれ落ちる。
実際の使用状態の最適寸法を考慮していない。
【課題の解決】
【０００２】１  本発明は上記の課題を解決するため、バッグの中に新たな内ポケットを設け、内ポケットの底をボタン、マジックテープ、フック等でバッグの内側、上方に、ハンモック状態にして留め、傷む収納物をほぼ水平に保持し傷まないようにしたバッグである。
そして上記ハンモック状態にすることにより、図４参考図のように内ポケットの底があがって保持され、内ポケットを深くしても傷む収納物が底の他の品物とぶつからなくなる。
そして、内ポケットの寸法、特に深さの設計の自由度が大きくなる。  内ポケットの一方（取付端部）には、ファスナー等の内ポケット開閉機構を設ける。
２  寸法は、一般人、または女性の体型・肩・上腕・下腕・手首の寸法を実験して最適値として定めた。
具体的には、以下の寸法とする（図参照）。
一般人
（１）全体の寸法
縦４５０ｍｍ〜７７０ｍｍ  横３６０ｍｍ〜６６０ｍｍ  幅９０ｍｍ〜３３０ｍｍ
（２）持ち手部分の寸法
縦９０ｍｍ〜３３０ｍｍ  横９０ｍｍ〜３３０ｍｍ
（３）収納部分の寸法
縦２７０ｍｍ〜５５０ｍｍ  横３６０ｍｍ〜６６０ｍｍ  幅９０ｍｍ〜３３０ｍｍ
（４）内ポケット部分の寸法
縦９０ｍｍ〜３３０ｍｍ  横１８０ｍｍ〜５５０ｍｍ
（５）内ポケットの位置  バッグの内側に、バッグの持ち手部分より下方の３０〜７０ｍｍの位置にポケットの上方（取付端部）を取り付ける
女性
（１）全体の寸法
縦５００ｍｍ〜７００ｍｍ  横４００ｍｍ〜６００ｍｍ  幅１００ｍｍ〜３００ｍｍ
（２）持ち手部分の寸法
縦１００ｍｍ〜３００ｍｍ  横１００ｍｍ〜３００ｍｍ
（３）収納部分の寸法
縦３００ｍｍ〜５００ｍｍ  横４００ｍｍ〜６００ｍｍ  幅１００ｍｍ〜３００ｍｍ
（４）内ポケット部分の寸法
縦１００ｍｍ〜３００ｍｍ  横２００ｍｍ〜５５０ｍｍ
（５）内ポケットの取付位置  バッグの内側に、バッグの持ち手部分より下方の３０〜７０ｍｍの位置にポケットの上方（取付端部）を取り付ける
【発明の効果】
【０００３】  本発明の傷む収納物を、内ポケットに入れた時  内ポケットの（取付端部）の反対側の底部が、反対側のバッグの内側の特定部分にボタン等により固定されて、傷む収納物はハンモック状態に保持される。
傷む収納物のプラスチックケースなども傾かずに持って帰ることができる。
【図面の簡単な説明】
【０００４】
【図１】  内ポケットの底を留めていないときの正面図
【図２】  同側面図
【図３】  内ポケットがハンモック状態の側面図
【図４】  参考図
【図５】  参考図
【図１】
2013215533.tif 000003
【図２】
2013215533.tif 000004
【図３】
2013215533.tif 000005
【図４】
2013215533.tif 000006
【図５】
2013215533.tif 000007
(57)【要約】【課題】ゴルフクラブのグリップの汚れを防ぐため目土入れ容器（１）に取っ手（３）を設け、この取っ手（３）にクラブを立掛けるためのすべり止め（4）を設ける、目土掛けはシャベルを用いず持ち上げた取っ手を傾ける事で的確にディボットの埋戻しが出来るクラブ掛け部付目土入れを提供する。【解決手段】目土入れ容器（１）の一端に目土だし部（２）を設け、他端に取っ手（３）を設ける、取っ手にはクラブを立掛ける際すべり落ち防止の為複数の凹凸（４）を設けたことを特徴とする。【選択図】図1
2013215512.tif 000002
【特許請求の範囲】
【請求項１】
目土入れ容器（1）の一端に目土出し部（2）を設け、他端に取っ手（3）を設け、この取っ手に複数の凹凸（4）を複数設けたことを特徴とするクラブ掛け部付目土入れ。
【発明の詳細な説明】
【技術分野】
【０００１】
本発明はゴルフクラブ立掛け部を設けた目土入れに関するものである。
【背景技術】
【０００２】
従来、目土入れ機能のみのものがあった。
【先行技術文献】
【特許文献】
【０００３】
【特許文献１】特開2011-000293
【発明の概要】
【発明が解決しようとする課題】
【０００４】
そのために、次のような問題点があった。
（イ）クラブを立て掛ける事が難しかった。
（ロ）目土入れのみの機能に限られている為プレーヤーにメリットがなく、これを持ち歩く気持にならない。
（ハ）取っ手が無く持ちにくい。
本発明はこれらの問題点を解決するためになされたものである。
【課題を解決するための手段】
【０００５】
目土入れ容器の一端に目土出し部を設け、他端に取っ手を設ける、この取っ手部にクラブを立掛ける際にクラブの滑り止め用に複数の凹凸を設ける。目土をかける際には、取っ手を持ち傾けることで、目土出しが出来る。
【発明の効果】
【０００６】
予備に持ったクラブを濡れた芝の上に置かず、取っ手部にクラブを立掛ける事が出来る為グリップ部が汚れず、また、立掛けてあるためクラブの置き忘れ防止になるなどプレーヤーが自ら進んで持ち歩きたくなる。目土掛けは取っ手を持って傾けることで、シャベルなどを使用せずに目土出しが出来、的確にディボットの埋戻しが出来る。
【図面の簡単な説明】
【０００７】
【図１】本発明の斜視図である。
【図２】本発明の側面図である
【図３】本発明の平面図である
【図４】本発明の他の実施例1
【図５】本発明の他の実施例2
【図６】本発明の実施例3
【発明を実施するための形態】
【０００８】
以下、本発明を実施する為の形態について図1及び図2を用いて説明する。
目土入れ容器（１）の一端に開口部（1ｂ）を設け、目土出し部（２）を設ける、他端に取っ手（３）を設け、取っ手にはクラブを立掛けた際にクラブの滑り落ち防止の為の凹凸（４）を複数設ける。本発明は以上の様な構造である。
本発明を使用するときは、目土入れ容器に目土を入れて持ち歩き、ショット時には予備に持ったクラブを取っ手部の（4）に立掛けて置く、またショットで出来たディボットは取っ手を持って傾ける事でシャベル等を用いず目土掛けが簡単に出来る。
次に図4及び図5を用いて他の実施例を説明する。
取っ手部は（図1）の3の逆Ｌ字状に限らずアーチ状（図4）の3の形状でも良い。また、また図5の様に目土入れ容器の一部にクラブ立掛け用の凹部4aを複数設けてもよい。本発明は、濡れた芝の上にクラブを置かず、取っ手部にクラブを立て掛けて置くこと（図6）が出来る為グリップ部が汚れず上手くショットが出来る。
【産業上の利用可能性】
【０００９】
セルフのプレーヤーが多くなり、ディボットを埋め戻さないため、フェアーウエーが荒れてゴルフ場では困っている。またプレーヤーも打球がデボットに入りスコアーを乱すため、ゴルフ場を悪く評価する。本発明は、濡れた芝の上にクラブを置かず、取っ手部にクラブを立掛ける事が出来る為グリップ部が汚れないため上手くショットが出来る、また、立掛けてあるためクラブの置き忘れ防止になる。目土は取っ手を持って傾けることで、シャベルなどを使用せずに目土出しが楽に出来、的確にディボットの埋戻しが出来る。本発明品を持ち歩くことでスコアーが良くなり、クラブの紛失防止、ラウンドプレーの時間短縮になるとともにコース整備費の節減になる等ゴルフ場側も、プレーヤーにも多大のメリットが生じる。
【符号の説明】
【００１０】
1    目土入れ容器
1a    補強枠
1b    目土だし開口部
2    目土出し部
3    取っ手
4    クラブ掛け部
4a    目土入れ容器にクラブ掛け部  
【図１】
2013215512.tif 000003
【図２】
2013215512.tif 000004
【図３】
2013215512.tif 000005
【図４】
2013215512.tif 000006
【図５】
2013215512.tif 000007
【図６】
2013215512.tif 000008
(57)【要約】【課題】スマートホン本体の操作を安定させるため、スマートホンの保護カバーの持ち手帯を提供する。【解決の手段】スマートホンの保護カバー背面の中央部の長手方向に細長く、軟質材にて帯体を形成した、スマートホン保護カバーの持ち手帯。【選択図】図１
2013215544.tif 000002
【特許請求の範囲】
【請求項１】
スマートホンを保護するカバーにおいて、カバー背面のほぼ中央部に長手方向に細長く伸縮自在な軟質材にて持ち手帯を形成し、帯体の中央部につまみ突起を設けたことを特徴とする、スマートホンの保護カバーの持ち手帯。
【発明の詳細な説明】
【技術分野】
【０００１】  本発明は、スマートホンの操作を安定させるため、保護カバーの背面に設けた持ち手帯に関するものである。
【背景技術】
【０００２】  従来、スマートホンの本体を保護するため、ハードケースカバーやソフトケースカバーが市販されている。
しかし、スマートホン本体にキズを付けないためであったり、柄や質感など外観重視のカバーであり、操作性を考慮したカバーは少なかった。
【発明の開示】
【発明が解決しようとする課題】
【０００３】  そのため、次のような問題点があった。
つい無中になり長時間の操作となって、手の疲労がひどかったり、手荷物を持っているなどして片手操作となり、スマートホンの下部を小指で支え、人差し指と中指で左右の揺れを安定させ、親指で操作するといった無理な状態で使用するため、スマートホンを落としてしまったりする事もあった。
【課題を解決するための手段】
【０００４】  スマートホンを保護するカバーにおいて、カバー背面のほぼ中央部に長手方向に細長く伸縮自在な軟質材にて持ち手帯を設ける。
持ち手帯は、カバー背面の上に外から帯体を設けるか、
もしくはカバー背面中央部に長手方向に平行する２筋のスリット孔を、１〜２本の指が楽に挿し込める程の長さで設け、２筋のスリット孔に狭まれた形の帯体を直接持ち手にするか、
又は、カバー背面に外から別体の帯体を取り付けるという形で設ける。
いずれの場合も、帯体の中央部につまみ突起を設ける。
以上を特徴としたスマートホンの保護カバーの持ち手帯である。
【発明の効果】
【０００５】  スマートホン本体に、本案持ち手帯付き保護カバーを取り付け、つまみ突起をつまんで本体と持ち手帯の間に隙間を作り、そこに指１〜２本を挿し込んでスマートホン本体を持てば、不安定な状態で手のひらに乗せて操作する現状と異なり、指がスマートホン本体に半固定されることにより、不自然な力が入らないため疲れず、落とすこともなく、快適なスマートホンライフが可能となる。
【図面の簡単な説明】
【０００６】
【図１】  本発明の斜視図
【図２】  本発明の側面断面図
【図３】  本発明の実施例を示す斜視図
【図４】  本発明における別の形状の斜視図
【図５】  本発明における別の形状の斜視図
【発明を実施するための最良の形態】
【０００７】  以下、本発明の実施の形態について説明する。
スマートホン本体（Ａ）の保護カバー（１）において、保護カバー（１）の背面のほぼ中央部に長手方向に細長く、伸縮自在な軟質材にて持ち手帯（２）を設ける。
持ち手帯（２）は、保護カバー（１）の背面の上に外から帯体を設けるか、
もしくは、保護カバー（１）の背面中央部に長手方向に平行する２筋のスリット孔（４）を１〜２本の指が楽に挿し込める程の長さで設け、２筋のスリット孔（４）に狭まれた形の帯体を直接持ち手帯（２）にするか、
又は、保護カバー（１）の背面に外から別体の帯体を取り付けるという形で設ける。
いずれの場合も、帯体の中央部につまみ突起（３）を設ける。
本発明は、以上のような構成で、これを使用する時は、持ち手帯（２）に設けた、つまみ突起（３）をつまんで外方向に引っ張ることで出来た隙間に指を１ないし２本を挿し入れ、他の指は保護カバー（１）を包むように添え使用すればよい。
スマートホン本体（Ａ）が保護カバー（１）と共に、手に半固定となり安定するため長時間の操作や片手操作にも手や腕が疲れにくく、スマートホン本体（Ａ）を落したりする危険性も少なくなる。
なお、本案は保護カバー（１）と持ち手帯（２）を一体で形成すればよいが、
保護カバー（１）の背面に２筋のスリット孔（４）を設けることで出来た持ち手帯（２）は保護カバー（１）と同一面上で形成出来るため、邪魔にならず成形方法も簡易となる。
また、本案持ち手帯（２）を別体で作ることにより、保護カバー（１）がハードカバーであっても同様の効果が期待出来る。
【符号の説明】
【０００８】１  保護カバー
２  持ち手帯
３  つまみ突起
４  スリット孔
Ａ  スマートホン本体
【図１】
2013215544.tif 000003
【図２】
2013215544.tif 000004
【図３】
2013215544.tif 000005
【図４】
2013215544.tif 000006
【図５】
2013215544.tif 000007
(57)【要約】【課題】  車両が走行すると発生する風力を利用した走行起風力発電方法を提供する。【解決手段】  車両が走行すると発生する風力を利用したことを特徴とする走行起風力発電方法。【特許請求の範囲】
【請求項１】
車両が走行すると発生する風力を利用したことを特徴とする走行起風力発電方法。
【発明の詳細な説明】
【技術分野】
【０００１】  本発明は、車両が走行すると発生する風力を利用した、走行起風力発電方法に関するものである。
【背景技術】
【０００２】  従来、電気を利用して走行するものは消費するのみであった。又蓄電池を利用するものは消費するのみと走行距離が限定された。
【特許文献１】
【発明の開示】
【発明が解決しようとする課題】
【０００３】  そのために、次のような問題点があった。
（イ）電源の供給がなくなると走行不能。
（ロ）蓄電池を利用したものは走行距離の限定。
【課題を解決するための手段】
【０００４】  上記の問題点を解決するために、車両が走行すると発生する風力を利用したことを特徴とする走行起風力発電方法である。
【発明の効果】
【０００５】  その結果、次の効果が生じる。
（イ）電源の供給がなくなっても走行可能になった。
（ろ）蓄電池による走行は距離の限定がなくなった。
（ハ）蓄電量を気にせづ走行出来るようになったので精神的にらくになった。